(57)【要約】【課題】利用者が行った活動について、活動強度毎の活動結果を把握できる活動管理システムを提供する。【解決手段】本システムは、利用者の活動強度を測定し、活動強度の履歴を記憶する活動強度検出手段たる活動量計１と、活動強度の大きさに応じた複数の活動強度区分を設け、活動強度の履歴に基づいて活動強度区分毎の活動結果を生成する活動結果生成手段たるセンターサーバ１０１と、活動強度区分毎の活動結果を表示する表示手段たる表示装置２とを宅内ＬＡＮ２０１、インターネット２０２を介して互いに接続する。【選択図】図１
2009082414.tif 000002
【特許請求の範囲】
【請求項１】
利用者の活動強度を測定し、活動強度の履歴を記憶する活動強度検出手段と、
活動強度の大きさに応じた複数の活動強度区分を設け、活動強度の履歴に基づいて活動強度区分毎の活動結果を生成する活動結果生成手段と、
活動強度区分毎の活動結果を表示する表示手段と
を備える
ことを特徴とする活動管理システム。
【請求項２】
前記活動結果生成手段は、活動強度の大きさに応じた複数の活動強度区分を設け、活動強度の履歴に基づいて活動強度区分毎の活動時間を積算し、
前記表示手段は、活動強度区分毎の活動時間の積算結果を表示する
ことを特徴とする請求項１記載の活動管理システム。
【請求項３】
活動の目標を設定する目標設定手段を備え、前記活動結果生成手段は、活動強度の履歴に基づいて活動強度区分毎の活動結果を生成するとともに、活動結果の前記目標に対する達成状況を導出し、前記表示手段は、活動強度区分毎の活動結果、および達成状況を表示することを特徴とする請求項１または２記載の活動管理システム。
【発明の詳細な説明】
【技術分野】
【０００１】
本発明は、活動管理システムに関するものである。
【背景技術】
【０００２】
従来、利用者が自身の活動量を知ることができるものとして、活動量計を利用者の身体に装着し、測定した活動強度から活動量を求めてリアルタイムに表示したり、その履歴を表示することで、利用者に対して活動結果を提示することができるものがある。（例えば、特許文献１参照）。
【特許文献１】特開２００７−８９６９９号公報
【発明の開示】
【発明が解決しようとする課題】
【０００３】
上述の活動量計では、測定した活動強度や活動量をリアルタイムに表示したり、その履歴を表示することはできる。
【０００４】
しかし、軽い活動［洗濯、軽い掃除等］、中程度の活動［歩行、体操等］、強い活動［ジョギング、ランニング等］のように、活動強度には強弱があり、この活動強度の強弱に対応した活動結果を表示することはできなかった。
【０００５】
本発明は上記問題点に鑑みて為されたものであり、その目的とするところは、利用者が行った活動について、活動強度毎の活動結果を把握できる活動管理システムを提供することにある。
【課題を解決するための手段】
【０００６】
上記目的を達成するために、請求項１の発明は、利用者の活動強度を測定し、活動強度の履歴を記憶する活動強度検出手段と、活動強度の大きさに応じた複数の活動強度区分を設け、活動強度の履歴に基づいて活動強度区分毎の活動結果を生成する活動結果生成手段と、活動強度区分毎の活動結果を表示する表示手段とを備えることを特徴とする。
【０００７】
この発明によれば、表示手段に活動強度区分毎の活動結果を表示するので、利用者が行った活動について、活動強度毎の活動結果を把握できる。したがって、活動内容の改善点の認識、運動への動機付けにつながる。
【０００８】
請求項２の発明は、請求項１において、前記活動結果生成手段は、活動強度の大きさに応じた複数の活動強度区分を設け、活動強度の履歴に基づいて活動強度区分毎の活動時間を積算し、前記表示手段は、活動強度区分毎の活動時間の積算結果を表示することを特徴とする。
【０００９】
この発明によれば、表示手段に活動強度区分毎の活動時間を表示するので、利用者が行った活動について、活動強度毎の活動時間を把握できる。したがって、活動内容の改善点の認識、運動への動機付けにつながる。
【００１０】
請求項３の発明は、請求項１または２において、活動の目標を設定する目標設定手段を備え、前記活動結果生成手段は、活動強度の履歴に基づいて活動強度区分毎の活動結果を生成するとともに、活動結果の前記目標に対する達成状況を導出し、前記表示手段は、活動強度区分毎の活動結果、および達成状況を表示することを特徴とする。
【００１１】
この発明によれば、利用者が行った活動について、目標に対する達成状況も把握できる。したがって、利用者は達成感を得ることができるとともに、運動への動機付けにつながる。
【発明の効果】
【００１２】
以上説明したように、本発明では、利用者が行った活動について、活動強度毎の活動結果を把握できるという効果がある。
【発明を実施するための最良の形態】
【００１３】
以下に本発明の実施の形態を図面に基づいて説明する。
【００１４】
図１は本発明に係る活動管理システムの概略構成を示し、個人の住宅Ａにおいてイーサネット（登録商標）によりＬＡＮ２０１が構築され、当該ＬＡＮ２０１が住宅情報盤３内に収納されたブロードバンドルータ３ａを介してＷＡＮを構成するインターネット２０２に接続されている。一方、活動量計、体組成計、他動運動機器を用いた各種の管理プログラムを提供する事業者Ｂには、利用者が自宅で所望の管理プログラムを実行できるようにする後述の活動管理サービスを提供するためのセンターサーバ１０１と、運動プログラムの運動内容を示す動画を配信するための映像配信サーバ１０２が設置されている。ここにおいて、事業者Ｂ側のセンターサーバ１０１と、インターネット２０２と、事業者Ｂが提供する活動管理サービスを利用する住宅Ａ内のＬＡＮ２０１と、利用者が携行する活動量計１と、住宅Ａ内に設置された表示装置２、他動運動機器６、体組成計７、ブロードバンドルータ３ａなどで活動管理システムが構成される。
【００１５】
活動量計１は、図１に示す扁平な装置本体１０に図２に示す回路構成要素を内蔵したもので、装置本体１０を測定対象者のベルト等に装着して使用される。ここで、装置本体１０に内蔵される回路構成要素としては、例えば３軸の加速度センサ１１と、この加速度センサ１１の出力信号をＡ／Ｄ変換して得た検出出力をもとに、当該活動量計１を装着した利用者の運動状態を演算する演算処理部１２と、時刻データを演算処理部１２に与える計時部１３と、入力操作部１４と、例えばフラッシュメモリなどの不揮発性メモリからなり、演算処理部１２の演算結果や個人の属性データや活動目標値などを記憶するための記憶部１５と、例えば液晶表示器からなる表示部１６と、ワイヤレス中継器５との間で赤外線通信を行う赤外線通信部１７と、電池ＢＴを電源として各回路要素の動作に必要な所定の電圧を得る定電圧回路１８とを備えている。尚、本実施形態では利用者の体動を検出するために加速度センサ１１を具備した活動量計１を用いているが、運動状態を検出するセンサとして脈拍や心拍などを検出するセンサを用いても良い。
【００１６】
入力操作部１４は、当該活動量計１の動作モードを計測モード、データ設定モード、又は、出力表示処理モード等に切り替えるモード切替操作や、表示部１６に表示される表示画面でのカーソル操作や確認操作、或いは、データ設定モードにおいて活動量の算出に用いる個人の属性データ（例えば年齢、性別、身長、体重、目的、健康状態（既往症歴）、地域）や活動目標値を入力するデータ入力操作に用いられる。
【００１７】
活動量計１の演算処理部１２は、活動量計１に予め組み込まれたプログラムに基づいて、例えば利用者の活動の活動強度、活動量や利用者が歩いた歩数や消費カロリーなどを算出するためのデータ処理を行うものであり、入力操作部１４を用いてデータ設定モードに切り替えられると、表示部１６の表示を制御してデータ入力画面を表示させ、当該データ入力画面において、上記属性データや活動目標値の入力を利用者に促すためのガイダンスなどを表示させ、入力操作部１４を用いて属性データや活動目標値が入力されると、入力データを記憶部１５に書き込み、以後の演算処理では記憶部１５から読み込んだ属性データや活動目標値を活動量の演算に使用するようになっている。
【００１８】
また演算処理部１２の動作モードが、入力操作部１４を用いて計測モードに切り替えられると、演算処理部１２は、加速度センサ１１から入力される加速度の検出出力に基づいて、利用者の活動強度（Mets）や歩数の算出処理を行うとともに、算出結果を記憶部１５に書き込む処理を行い、且つ、算出結果を表示部１６にリアルタイムで表示するようになっている。
【００１９】
さらに演算処理部１２の動作モードが、入力操作部１４を用いて出力表示処理モードに切り替えられると、演算処理部１２は、記憶部１５に記憶されているデータや演算処理結果に基づいて、個人の属性データや活動量および歩数の測定結果や活動目標値などを表示部１６に表示させる処理を行う。
【００２０】
表示装置２は、ＬＡＮケーブル２０３を介して、住宅情報盤３内に収納されたブロードバンドルータ３ａに接続されており、インターネット２０２およびＬＡＮ２０１を介して映像配信サーバ１０２から配信された映像を画面上に表示するとともに、音声を内蔵スピーカ（図示せず）から出力する。また表示装置２は、リモコン装置２ａから送信される赤外線のような光信号からなるワイヤレス信号を受信するワイヤレス受信部（図示せず）を備え、操作に応じてリモコン装置２ａから送信されたワイヤレス信号をワイヤレス受信部が受信し、当該ワイヤレス信号に応じて表示するチャンネルや音量の切り替えを行ったり、ネットワークを介してセンターサーバ１０１、映像配信サーバ１０２にアクセスし、センターサーバ１０１に蓄積されたＷｅｂページや、映像配信サーバ１０２に蓄積された映像を送信させることができる。
【００２１】
住宅情報盤３は、主幹開閉器および分岐開閉器を内蔵して、宅内の分岐回路に電力を供給するとともに、内蔵するブロードバンドルータ３ａにＬＡＮケーブル２０３を介して表示装置２およびネットアダプタ４が接続されている。
【００２２】
ネットアダプタ４は、ＬＡＮケーブル２０３を介してブロードバンドルータ３ａに接続されるとともに、小電力無線を利用してワイヤレス中継器５との間で無線電波によって通信を行うものである。またワイヤレス中継器５は、ネットアダプタ４との間で無線電波を用いた通信を行うとともに、活動量計１や後述する他動運動機器６および体組成計７との間で赤外線を用いた通信を行うものである。すなわち、ワイヤレス中継器５の通信可能エリア内に存在する活動量計１や他動運動機器６や体組成計７から、送信元および送信先のＩＤを含む赤外線信号が送信され、この赤外線信号をワイヤレス中継器５が受信すると、ワイヤレス中継器５は受信した赤外線信号の通信プロトコルを変換して無線電波により送信する。そして、ネットアダプタ４が、ワイヤレス中継器５から送信された無線電波を受信すると、無線電波により送信された信号のプロトコル変換を行い、送信先のＩＤが示すネットワーク機器（表示装置２或いはセンターサーバ１０１）へ信号を送信する。
【００２３】
他動運動機器６は利用者に対して他動的な運動を行わせるものであり、本実施形態では、例えば、利用者が跨いで着座する鞍状の座席部を揺動運動させることによって、乗馬運動を模した運動負荷を与える乗馬型の運動機器を用いている。図３は他動運動機器６の概略的なブロック図を示し、マイクロコンピュータよりなる制御部６１と、鞍状の座席部６２を揺動運動させる駆動部６３と、外部との間で赤外線を用いた通信を行う赤外線通信部６４と、操作部６５と、座席部６２を様々なパターンで揺動させるためのプログラムなどを記憶した記憶部６６とを備えている。
【００２４】
体組成計７は、図１に示すように扁平な直方体状の装置本体７０を有し、装置本体７０の上面には、装置本体７０に乗せられた左右の足の足裏がそれぞれ当接する部位に電極部７１ａ，７１ａが配置されるとともに、装置本体７０の左右方向における中央部には測定結果などを表示するための液晶ディスプレイからなる表示部７２が配置されている。
【００２５】
装置本体７０に内蔵される回路構成要素としては、図４に示すように装置本体７０に乗った人の体重を測定する重量センサ７３と、左右の電極部７１ａ，７１ａ間に微弱な電流を流して、人体の電気抵抗（生体インピーダンス）を測定する生体インピーダンス測定部７１と、体組成計７の動作モードを計測モードや設定モード等に切り替える操作や、設定モードにおいて個人の属性データ（例えば年齢、性別、身長など）を入力する操作を行うための入力操作部７４と、生体インピーダンス測定部７１の測定結果をもとに測定対象者の体脂肪率を演算により求めるとともに、表示部７２の表示を制御して重量センサ７３の検出結果や体脂肪率の演算結果を表示部７２の画面に表示させる演算処理部７５と、例えばフラッシュメモリなどの不揮発性メモリからなり、演算処理部７５の演算結果や個人の属性データなどを記憶するための記憶部７６と、ワイヤレス中継器５との間で赤外線通信を行う赤外線通信部７７と、電池を電源として各回路要素の動作に必要な所定の電圧を得る電池電源部７８とを備えている。
【００２６】
センターサーバ１０１は、図５に示すように中央制御部１０１ａと、ＬＡＮ２０１およびインターネット２０２を介して受け取った各種データや、中央制御部１０１ａでの演算結果等を格納する記憶部１０１ｂとを備えており、中央制御部１０１ａは、各種演算機能の他に、画像データとしてＷｅｂコンテンツ（Ｗｅｂページ）を作成し、表示装置２からの要求に応じてＷｅｂページを端末装置に提供（配信）する機能（Ｗｅｂサーバ機能）も有している。
【００２７】
本システムでは、表示装置２が、ＬＡＮケーブル２０３を介してブロードバンドルータ３ａに接続されており、インターネット２０２およびＬＡＮ２０１を介してセンターサーバ１０１から送信されたＷｅｂページを表示したり、映像配信サーバ１０２から配信された映像を画面上に表示することができる。また活動量計１、他動運動機器６、体組成計７はそれぞれワイヤレス中継器５およびネットアダプタ４を介してＬＡＮ２０１に接続されており、ＬＡＮ２０１およびインターネット２０２を介してセンターサーバ１０１に接続されるので、センターサーバ１０１との間でデータの送受信が行えるようになっている。尚、活動量計１、表示装置２、ネットアダプタ４、ワイヤレス中継器５、他動運動機器６および体組成計７にはそれぞれ個別のローカルＩＰアドレスが割り当てられており、ブロードバンドルータ３ａがグローバルＩＰアドレスとローカルＩＰアドレスとの変換を行うようになっている。
【００２８】
ここで、本システムにより事業者Ｂが提供する活動管理サービスを住宅Ａ内の利用者が利用する場合について以下に説明する。
【００２９】
まず、利用者によってワイヤレス中継器５へ向けられた活動量計１は、演算処理部１２の動作モードが、入力操作部１４を用いてデータ送信モードに切り替えられると、演算処理部１２は、記憶部１５に記憶されている活動強度の履歴データ、個人の属性データ、活動目標値をローカルＩＰアドレスとともに赤外線通信部１７で赤外線信号に変換してワイヤレス中継器５へ送信し、ワイヤレス中継器５からＬＡＮ２０１およびインターネット２０２を介してセンターサーバ１０１へ送信される。
【００３０】
センターサーバ１０１では、活動量計１から受け取った各データを記憶部１０１ｂに格納し、中央制御部１０１ａが、記憶部１０１ｂに格納されている活動強度の履歴に基づいて、エクササイズ量（活動量）を算出する。このエクササイズ量の算出は、活動強度の履歴を活動強度基準値と比較し、活動強度が活動強度基準値を上回った場合に、［活動強度×活動時間］で表される総エクササイズ量を積算し、記憶部１０１ｂに格納する。上記活動強度基準値は、通常、３ＭＥＴｓに設定されるが、記憶部１０１ｂに格納された個人の属性データに基づいて当該利用者に適合する活動強度基準値を採用してもよい。
【００３１】
さらに中央制御部１０１ａは、活動強度を［２〜３（Mets）］、［３〜４（Mets）］、［４〜６（Mets）］、［６（Mets）以上］の複数の活動強度区分に分けており、活動強度区分毎に活動時間およびエクササイズ量を積算する。
【００３２】
そして、上記算出された総エクササイズ量および活動強度区分毎の活動時間およびエクササイズ量の積算結果は記憶部１０１ｂに格納され、中央制御部１０１ａは、記憶部１０１ｂに格納された総エクササイズ量、活動強度区分毎の活動時間の積算結果、活動強度区分毎のエクササイズ量の積算結果、活動目標値に対する達成度等をＷｅｂブラウザ上で表示可能な活動結果提示ファイル（Ｗｅｂページ）として生成する機能を有する。
【００３３】
また、センターサーバ１０１には、活動管理サービスを提供するためのＷｅｂページが予め用意されている。
【００３４】
そして、住宅Ａ内の利用者が、リモコン装置２ａを用いてセンターサーバ１０１にアクセスすると、この操作により表示装置２とセンターサーバ１０１との間でＬＡＮ２０１およびインターネット２０２を介して通信が行われ、利用者に対して提供可能な活動管理サービスを紹介するＷｅｂページが表示装置２の画面上に表示される。この時、利用者が、表示装置２に表示された活動管理サービスの一覧から所望のサービスを選択決定し、活動結果提示ファイルの１つである活動時間提示ファイルを配信させる操作をリモコン装置２ａを用いて行うと、表示装置２からＬＡＮ２０１およびインターネット２０２を介してセンターサーバ１０１へ利用者の活動時間提示ファイルの配信要求が送信される。
【００３５】
この配信要求を受け取ったセンターサーバ１０１では、中央制御部１０１ａが、記憶部１０１ｂに格納されている総エクササイズ量および活動強度区分毎の活動時間の積算結果をＷｅｂブラウザ上で表示可能な活動時間提示ファイルとして生成し、この活動時間提示ファイルを要求元の表示装置２へ配信する。
【００３６】
表示装置２では、センターサーバ１０１から受け取った活動時間提示ファイルを表示する。図６は、表示装置２で活動時間提示ファイルを表示したＷｅｂページを示し、過去１ヶ月間の総エクササイズ量および活動強度区分毎の活動時間の積算結果が表されている。
【００３７】
総エクササイズ量は、１週間毎の積算値が折線グラフＧ１で表され、生活習慣病を防ぐために必要なエクササイズ量の１週間の標準値Ｙｓ［２３（Ex）］も同画面に表示されることで、利用者は過去１ヶ月間における総エクササイズ量の過不足を把握できる。さらに、折線グラフＧ１の１週間毎のプロット点Ｐを、標準値Ｙｓ以上であれば赤色、標準値Ｙｓ未満であれば青色というように、標準値Ｙｓの達成の可否に応じて色を変えれば、総エクササイズ量の過不足をより把握しやすくなる。
【００３８】
活動強度区分毎の活動時間は、１週間毎の積算値を棒グラフＧ２で表している。この棒グラフＧ２は、活動強度を［２〜３（Mets）］、［３〜４（Mets）］、［４〜６（Mets）］、［６（Mets）以上］の複数の活動強度区分Ｋ１〜Ｋ４に分けられており、エクササイズ量に反映されない［２〜３（Mets）］の活動強度区分Ｋ１は、原点となるゼロ時間に対して下方向に生成され、エクササイズ量に反映される［３〜４（Mets）］、［４〜６（Mets）］、［６（Mets）以上］の各活動強度区分Ｋ２〜Ｋ４は、原点となるゼロ時間に対して上方向に連続して生成される。したがって、利用者は過去１ヶ月間における活動強度毎の活動時間を把握でき、活動内容の改善点の認識、運動への動機付けにつながる。また、活動強度区分Ｋ１〜Ｋ４は、Ｗｅｂ画面上で互いに異なる色に設定されており、利用者が一目で活動強度毎の活動時間を把握できる。
【００３９】
また、上記図６では、過去１ヶ月間の総エクササイズ量および活動強度区分毎の活動時間を１週間毎の積算値で表しているが、利用者がリモコン装置２ａを用いてＷｅｂページ上の表示期間変更ボタンＢ１を押下することで、図示しないリストボックスがＷｅｂページ上に表示され、このリストボックスから所望の表示期間を選択する操作をリモコン装置２ａを用いて行うと、表示装置２からＬＡＮ２０１およびインターネット２０２を介してセンターサーバ１０１へ表示期間変更要求が送信される。この表示期間変更要求を受け取ったセンターサーバ１０１では、中央制御部１０１ａが、要求に適合した表示期間で活動時間提示ファイルを生成し、この活動時間提示ファイルを要求元の表示装置２へ配信することで、例えば過去１週間の総エクササイズ量および活動強度区分毎の活動時間を、１日毎の積算値で表すことも可能となる。
【００４０】
さらに利用者が、表示装置２に表示された活動管理サービスの一覧から所望のサービスを選択決定し、活動結果提示ファイルの１つである目標達成度提示ファイルを配信させる操作をリモコン装置２ａを用いて行うと、表示装置２からＬＡＮ２０１およびインターネット２０２を介してセンターサーバ１０１へ利用者の目標達成度提示ファイルの配信要求が送信される。
【００４１】
この配信要求を受け取ったセンターサーバ１０１では、中央制御部１０１ａが、記憶部１０１ｂに格納されている活動強度区分毎のエクササイズ量の積算結果および活動目標値に対する達成度をＷｅｂブラウザ上で表示可能な目標達成度提示ファイルとして生成し、この目標達成度提示ファイルを要求元の表示装置２へ配信する。
【００４２】
表示装置２では、センターサーバ１０１から受け取った目標達成度提示ファイルを表示する。図７は、表示装置２で目標達成度提示ファイルを表示したＷｅｂページを示し、今日（１日）の活動強度区分毎のエクササイズ量の積算結果および活動目標値に対する達成度が表されている。
【００４３】
活動目標値は、１日の目標総エクササイズ量で設定され、本実施形態では目標総エクササイズ量＝１．３（Ex）に設定されている。そして、本実施形態では積算された１日の総エクササイズ量が１．１（Ex）であり、目標総エクササイズ量＝１．３（Ex）に対して８５％の達成度となり、これらの各値が目標達成度提示ファイル内で数字表示だけでなく、円グラフＧ３でも表される。円グラフＧ３は、目標総エクササイズ量＝１．３（Ex）を１００％に設定しており、積算された１日の総エクササイズ量＝１．１（Ex）は円グラフＧ３の０〜８５％の領域Ｋ１１に表わされ、円グラフＧ３の８５〜１００％の領域Ｋ１２は空白となり、さらに達成度が円グラフＧ３の中心部に表示される。
【００４４】
したがって、利用者は、今日（１日）の目標に対する達成状況を把握でき、達成感を得ることができるとともに、運動への動機付けにつながる。
【００４５】
また、活動強度区分毎のエクササイズ量は、円グラフＧ３の領域Ｋ１１を、活動強度［３〜４（Mets）］、［４〜６（Mets）］、［６（Mets）以上］の複数の活動強度区分Ｋ１１ａ，Ｋ１１ｂ，Ｋ１１ｃに分け、活動強度区分Ｋ１１ａ，Ｋ１１ｂ，Ｋ１１ｃ毎にエクササイズ量が表されている。
【００４６】
したがって、利用者は今日（１日）における活動強度毎のエクササイズ量を把握でき、活動内容の改善点の認識、運動への動機付けにつながる。例えば、１週間で総エクササイズ量２３（Ex）の運動を行い、そのうち４（Ex）以上は、活動強度の高い活発な運動を行うことが推奨されている。そこで、円グラフＧ３によって、総エクササイズ量に対して活発な運動（例えば６（Mets）以上）をどれくらい行ったかを把握でき、上記推奨レベルをクリアするための活動内容の改善点の認識、運動への動機付けにつながる。また、活動強度区分Ｋ１１ａ，Ｋ１１ｂ，Ｋ１１ｃは、Ｗｅｂ画面上で互いに異なる色に設定されており、利用者が一目で活動強度毎のエクササイズ量を把握できる。
【００４７】
また、上記図７では、今日（１日）の活動強度区分毎のエクササイズ量の積算結果および活動目標値に対する達成度を表しているが、利用者がリモコン装置２ａを用いてＷｅｂページ上の表示期間変更ボタン（図示なし）を押下することで、図示しないリストボックスがＷｅｂページ上に表示され、このリストボックスから所望の表示期間を選択する操作をリモコン装置２ａを用いて行うと、表示装置２からＬＡＮ２０１およびインターネット２０２を介してセンターサーバ１０１へ表示期間変更要求が送信される。この表示期間変更要求を受け取ったセンターサーバ１０１では、中央制御部１０１ａが、要求に適合した表示期間で目標達成度提示ファイルを生成し、この目標達成度提示ファイルを要求元の表示装置２へ配信することで、例えば過去１週間の活動強度区分毎のエクササイズ量の積算結果および活動目標値に対する達成度を表すことも可能となる。この場合、表示期間に応じた目標総エクササイズ量が、１日の目標総エクササイズ量に基づいて自動的に設定される。
【００４８】
以上説明した本活動管理システムでは、活動量計１が、利用者の活動強度を測定し、活動強度の履歴を記憶する活動強度検出手段、および活動の目標を設定する目標設定手段を構成し、センターサーバ１０１が、活動強度の大きさに応じた複数の活動強度区分を設け、活動強度の履歴に基づいて活動強度区分毎の活動結果を生成するとともに、当該活動結果の目標に対する達成状況を導出する活動結果生成手段を構成し、表示装置２が、活動強度区分毎の活動結果や目標に対する達成状況を表示する表示手段を構成している。そして、ＬＡＮ２０１およびインターネット２０２を介して活動量計１に接続されたセンターサーバ１０１が、活動量計１から取得した活動強度の履歴データや活動目標値に基づいて、総エクササイズ量や、活動強度区分毎の活動時間およびエクササイズ量を積算したり、活動目標値に対する達成度を導出する。そして、ＬＡＮ２０１およびインターネット２０２を介してセンターサーバ１０１に接続された表示装置２では、各活動結果やその目標達成度がＷｅｂ画面上に表される。したがって、各活動結果を把握できるので、活動内容の改善点の認識、運動への動機付けにつながり、さらには各活動結果の目標達成度を把握することで達成感を得ることができる。
【００４９】
なお本実施形態では、総エクササイズ量の目標達成度を例示したが、活動強度区分毎の活動時間およびエクササイズ量の目標達成度や、総活動時間の目標達成度を表示するようにしても良い。
【００５０】
また本実施形態では、活動量計１および表示装置２の台数が１台の場合を例に説明したが、複数台の活動量計１および表示装置２をＬＡＮ２０１に接続しても良く、センターサーバ１０１が複数台の活動量計１から活動強度の履歴データを取得し、各活動量計１に対応付けられた表示装置２へ各活動結果やその目標達成度を送信することによって、複数の利用者が活動量計１を用いた活動管理サービスを同時に受けることができる。
【００５１】
さらに本実施形態では、宅内のＬＡＮ２０１にインターネット２０２を介して接続されるセンターサーバ１０１が活動量演算手段を構成しているが、ＬＡＮ２０１を介して接続された制御装置により活動量演算手段を構成するようにしても良い。
【図面の簡単な説明】
【００５２】
【図１】本実施形態の活動管理システムの概略構成図である。
【図２】同上に用いる活動量計の概略的なブロック図である。
【図３】同上に用いる他動運動機器の概略的なブロック図である。
【図４】同上に用いる体組成計の概略的なブロック図である。
【図５】同上に用いるセンターサーバの概略的なブロック図である。
【図６】同上の活動時間提示ファイルを表示したＷｅｂ画面の図である。
【図７】同上の目標達成度提示ファイルを表示したＷｅｂ画面の図である。
【符号の説明】
【００５３】
１  活動量計
２  表示装置
３ａ  ブロードバンドルータ
１０１  センターサーバ
２０１  宅内ＬＡＮ
２０２  インターネット
【図１】
2009082414.tif 000003
【図２】
2009082414.tif 000004
【図３】
2009082414.tif 000005
【図４】
2009082414.tif 000006
【図５】
2009082414.tif 000007
【図６】
2009082414.tif 000008
【図７】
2009082414.tif 000009